(57)【要約】【課題】ネットワーク上のいずれかの記憶領域に記憶されているコンテンツ（出展品）を用いた競売サービスであって、競売以外のシステムによっても出展者に特典を与えるサービス提供機器を提供することを目的とする。【解決手段】サービス提供装置１００の記憶部６００は、インターネット６０上のいずれかの記憶場所に記憶場所情報として記憶されている、出展者機器３０が出展したコンテンツの記憶場所情報を出展品アドレス一覧表１１０に記憶する。入札者機器４０は、出展品アドレス一覧表１１０を用いて入札を希望するコンテンツをアクセスし、サービス提供装置１００の制御部５００入札者機器４０からの入札を受けつけ、入札者機器４０と出展者機器３０との間でコンテンツの競売を制御する。【選択図】　　　　図１
2004029878.tif 000002
【特許請求の範囲】
【請求項１】
ネットワークを介して競売サービスを提供するサービス提供機器において、出展者機器が売却を希望しているコンテンツを記憶しているネットワーク上の記憶場所を示す記憶場所情報を含む出展応募情報を記憶する記憶部と、
上記記憶部により記憶された出展応募情報から入札者機器に出展者機器が売却を希望しているコンテンツをアクセスさせ、入札者機器からの入札希望を受けつけ、入札者機器と出展者機器との間でコンテンツの競売を制御する制御部とを備えることを特徴とするサービス提供機器。
【請求項２】
上記サービス提供機器は、さらに、
上記記憶場所情報を含む出展応募情報を有する出展応募の通知を出展者機器から受信する通信部を備えることを特徴とする請求項１に記載されたサービス提供機器。
【請求項３】
上記サービス提供機器は、さらに、
上記通信部によって受信された出展応募の通知に対応して出展品数を応募の対象となるコンテンツ数分カウントアップするカウンタを備え、
上記制御部は、上記カウンタによってカウントアップされた出展品数が所定数に達した場合には、出展応募されたコンテンツの中から対価を支払う１以上のコンテンツを決定し、決定した１以上のコンテンツの対価をコンテンツの出展応募の通知をした出展者機器の利用者に支払うことを特徴とする請求項２に記載されたサービス提供機器。
【請求項４】
上記制御部は、上記決定したコンテンツに対する対価を出展者機器の利用者の使用するインターネット上の銀行口座に振り替えることにより上記コンテンツの対価を上記利用者に支払うことを特徴とする請求項３に記載されたサービス提供機器。
【請求項５】
上記記憶部は、出展応募情報に含まれる記憶場所情報が示す記憶場所として出展者機器の使用するユニフォーム・リソース・ロケーター（ＵＲＬ）とネットワーク上でバーチャルショップを経営するショップサーバの使用するユニフォーム・リソース・ロケーター（ＵＲＬ）との少なくともいずれかを記憶することを特徴とする請求項１に記載されたサービス提供機器。
【請求項６】
ネットワークを介して競売サービスを提供するサービス提供方法において、出展者機器が売却を希望しているコンテンツを記憶しているネットワーク上の記憶場所を示す記憶場所情報を含む出展応募情報を記憶し、
上記記憶した出展応募情報から入札者機器に出展者機器が売却を希望しているコンテンツをアクセスさせ、入札者機器からの入札希望を受けつけ、入札者機器と出展者機器との間でコンテンツの競売を制御することを特徴とするサービス提供方法。
【請求項７】
ネットワークを介して競売サービスを提供するサービス提供プログラムにおいて、出展者機器が売却を希望しているコンテンツを記憶しているネットワーク上の記憶場所を示す記憶場所情報を含む出展応募情報を記憶する処理と、
上記記憶した出展応募情報から入札者機器に出展者機器が売却を希望しているコンテンツをアクセスさせ、入札者機器からの入札希望を受けつけ、入札者機器と出展者機器との間でコンテンツの競売を制御する処理とをコンピュータに実行させることを特徴とするサービス提供プログラム。
【請求項８】
ネットワークを介して競売サービスを提供するサービス提供機器において、出展応募の通知を出展者機器から受信する通信部と、
入札者機器からの入札を受けつけ、入札者機器と出展者機器との間でコンテンツの競売を制御する制御部と、
上記通信部によって受信された出展応募の通知に対応して出展品数を応募の対象となるコンテンツ数分カウントアップするカウンタとを備え、
上記制御部は、上記カウンタによってカウントアップされた出展品数が所定数に達したことにより、出展応募の中から決定された対価を支払う１以上の出展応募に対しての対価を出展応募の通知をした出展者機器の利用者に支払うことを特徴とするサービス提供機器。
【発明の詳細な説明】
【０００１】
【発明の属する技術分野】
本発明は、オークションに関するサービス提供機器及びサービス提供システムに関するものである。
【０００２】
【従来の技術】
図９は、従来のオークションシステムの構成及び動作を示す図である。
従来のオークションシステムは、ネットワーク上でバーチャルショップを経営するショップサーバ１０と、ショップサーバ１０に出展品の出展を希望する出展者機器２０及び出展者機器３０と、ショップサーバ１０が経営するバーチャルショップのサイトに展示されたコンテンツから希望するコンテンツを入札する入札者機器４０とから構成されている。ショップサーバ１０、出展者機器２０、出展者機器３０、入札者機器４０は各々インターネット６０によって接続されており通信が可能である。ショップサーバ１０が経営するバーチャルショップの一例としては、コンテンツプロバイダである楽天（登録商標）が経営するインターネット上の店舗が挙げられる。
図９では、出展者機器２０及び出展者機器３０等の出展者機器によって出展を希望され、ショップサーバ１０が経営するバーチャルショップのサイトに展示された壁紙に関するコンテンツが、コンテンツＸ９００、コンテンツＷ９１０、コンテンツＹ９２０、コンテンツＺ９３０で示されている。このうち、出展者機器２０が出展を希望したコンテンツはコンテンツＸ９００である。また、出展者機器３０が出展を希望したコンテンツはコンテンツＷ９１０である。
コンテンツＸ９００、コンテンツＷ９１０、コンテンツＹ９２０、コンテンツＺ９３０は、ショップサーバ１０の使用するＵＲＬ（ユニフォーム・リソース・ロケーター：ＵＮＩＦＯＲＭ　ＲＥＳＯＵＲＣＥ　ＬＯＣＡＴＯＲ）に記憶されている。ＵＲＬとは、インターネット６０上に存在するコンテンツ等のリソースの記憶場所をいう。
【０００３】
次に、従来のオークションシステムの動作を説明する。
まず、出展者機器２０や出展者機器３０等がコンテンツ（出展品）のオークション販売を希望する場合、インターネット６０を介してショップサーバ１０にコンテンツ（出展品）希望を通知し、ショップサーバ１０が出展を受けつけた場合には、コンテンツ（出展品）をショップサーバ１０に送信してコンテンツを登録する（Ｓ１００、Ｓ１０１）。
ショップサーバ１０では、登録したコンテンツＸ９００、コンテンツＷ９１０、コンテンツＹ９２０、コンテンツＺ９３０を図９に示すように自己が経営するインターネット６０上のバーチャルショップのサイトに展示する。
インターネット６０に接続可能な入札者機器４０は、バーチャルショップのサイトを検索しに行く。この時、入札者機器４０は、ショップサーバに展示されたコンテンツＷ９１０の購入を希望したとする。その場合、入札者機器４０は、ショップサーバ１０にコンテンツＷ９１０の入札を希望する通知を送信する（Ｓ１０２）。
ショップサーバ１０は、入札者機器４０からの入札希望通知を受信すると、入札を希望するコンテンツＷ９１０が入札者機器４０へ売買可能な状態にあることを確認してから入札者機器４０にコンテンツＷ９１０の入札希望を受け付けたことを通知する（Ｓ１０３）。
入札者機器４０は、ショップサーバ１０からの入札の受付通知を受信した場合には、コンテンツＷ９１０の入札に必要な代金である入札金（出展者希望入札金額）をショップサーバ１０に支払う（Ｓ１０４）。
ショップサーバ１０は、コンテンツＷ９１０に対する入札金（出展者希望入札金額）の入金を確認した場合、コンテンツＷ９１０を出展した出展者機器３０に対しコンテンツＷ９１０の落札を通知する（Ｓ１０５）。
ショップサーバ１０からの落札通知を受信した出展者機器３０は、コンテンツＷ９１０を入札者機器４０に送信することでコンテンツＷ９１０を入札者機器４０に売却する（Ｓ１０６）。
出展者機器３０は、上記コンテンツＷ９１０の送信後、ショップサーバ１０にコンテンツＷ９１０の売却通知を送信する（Ｓ１０７）。
ショップサーバ１０は、出展者機器３０からの売却通知を受信すると、出展者機器３０を利用した出展者にコンテンツＷ９１０の入札金から仲介料を差し引いた額を売却代金として支払う（Ｓ１０８）。
【０００４】
【発明が解決しようとする課題】
今までは、上述したような壁紙や着メロ等をコンテンツ（出展品）として販売する形態は存在していた。そのシステムは、出展者機器２０や出展者機器３０がコンテンツを出展するにあたり、コンテンツをショップサーバ１０に登録する必要があった。
また、ショップサーバ１０は、出展のための費用を出展者に負担させたり、あるいは仲介手数料を請求することにより収益をあげるとともに、入札者からは出展品に対する入札に基づいて出展者に売却代金を支払うシステムでインターネットオークションを成立させていた。
しかし、このような入札者側の入札以外に出展者側の売上が期待できないオークションでは、出展のための費用を出展者側が負担してまで、あるいは仲介手数料を支払ってまで出展してみようという出展意欲を喚起させることは難しかった。
【０００５】
この発明の実施の形態の目的は、ネットワーク上のどの記憶領域に記憶されているコンテンツでも競売サービスを提供することができるサービス提供機器を構築することにある。
さらに、競売以外のシステムによって出展者に得点を与えることができるサービス提供機器を付与している。
【０００６】
【課題を解決するための手段】
この発明にかかるサービス提供機器は、出展者機器が売却を希望しているコンテンツを記憶しているネットワーク上の記憶場所を示す記憶場所情報を含む出展応募情報を記憶する記憶部と、
上記記憶部により記憶された出展応募情報から入札者機器に出展者機器が売却を希望しているコンテンツをアクセスさせ、入札者機器からの入札希望を受けつけ、入札者機器と出展者機器との間でコンテンツの競売を制御する制御部とを備えることを特徴とする。
【０００７】
この発明にかかるサービス提供機器は、さらに、
上記記憶場所情報を含む出展応募情報を有する出展応募の通知を出展者機器から受信する通信部を備えることを特徴とする。
【０００８】
この発明にかかるサービス提供機器は、さらに、
上記通信部によって受信された出展応募の通知に対応して出展品数を応募の対象となるコンテンツ数分カウントアップするカウンタを備え、
上記制御部は、上記カウンタによってカウントアップされた出展品数が所定数に達した場合には、出展応募されたコンテンツの中から対価を支払う１以上のコンテンツを決定し、決定した１以上のコンテンツの対価をコンテンツの出展応募の通知をした出展者機器の利用者に支払うことを特徴とする。
【０００９】
上記制御部は、上記決定したコンテンツに対する対価を出展者機器の利用者の使用するインターネット上の銀行口座に振り替えることにより上記コンテンツの対価を上記利用者に支払うことを特徴とする。
【００１０】
上記記憶部は、出展応募情報に含まれる記憶場所情報が示す記憶場所として出展者機器の使用するユニフォーム・リソース・ロケーター（ＵＲＬ）とネットワーク上でバーチャルショップを経営するショップサーバの使用するユニフォーム・リソース・ロケーター（ＵＲＬ）との少なくともいずれかを記憶することを特徴とする。
【００１１】
この発明にかかるサービス提供方法は、出展者機器が売却を希望しているコンテンツを記憶しているネットワーク上の記憶場所を示す記憶場所情報を含む出展応募情報を記憶し、
上記記憶した出展応募情報から入札者機器に出展者機器が売却を希望しているコンテンツをアクセスさせ、入札者機器からの入札希望を受けつけ、入札者機器と出展者機器との間でコンテンツの競売を制御することを特徴とする。
【００１２】
この発明にかかるサービス提供プログラムは、出展者機器が売却を希望しているコンテンツを記憶しているネットワーク上の記憶場所を示す記憶場所情報を含む出展応募情報を記憶する処理と、
上記記憶した出展応募情報から入札者機器に出展者機器が売却を希望しているコンテンツをアクセスさせ、入札者機器からの入札希望を受けつけ、入札者機器と出展者機器との間でコンテンツの競売を制御する処理とをコンピュータに実行させることを特徴とする。
【００１３】
この発明にかかるサービス提供機器は、出展応募の通知を出展者機器から受信する通信部と、
入札者機器からの入札を受けつけ、入札者機器と出展者機器との間でコンテンツの競売を制御する制御部と、
上記通信部によって受信された出展応募の通知に対応して出展品数を応募の対象となるコンテンツ数分カウントアップするカウンタとを備え、
上記制御部は、上記カウンタによってカウントアップされた出展品数が所定数に達したことにより、出展応募の中から決定された対価を支払う１以上の出展応募に対しての対価を出展応募の通知をした出展者機器の利用者に支払うことを特徴とする。
【００１４】
【発明の実施の形態】
実施の形態１．
以下、実施の形態１について説明する。
図１は、本実施の形態に関するオークションシステムの構成及び出展品応募の動作を示す図である。
本実施の形態のオークションシステムでは、図９に示す従来のオークションシステムの構成にサービス提供機器１００が付加された構成となっている。
１００は、ネットワークを介して競売（オークション）サービスを提供するサービス提供機器である。本実施の形態の競売（オークション）サービスを提供するオークションシステムでは、サービス提供機器１００が出展者機器２０及び出展者機器３０と入札者機器４０との競売を制御することにより、インターネット６０上のオークションを成立させている。ただし、インターネット６０以外にもＷＡＮ（ＷＩＤＥ　ＡＲＥＡ　ＮＥＴＷＯＲＫ）やＬＡＮ（ＬＯＣＡＬ　ＡＲＥＡ　ＮＥＴＷＯＲＫ）を使用する方法がある。
ディジタルコンテンツの一例としては、写真、絵画、書、文章、詩、小説、動画、音楽が挙げられる。また、ディジタルコンテンツは、プログラム、データ、デザイン画、イラスト、音声を含んだアナログコンテンツでもよい。
【００１５】
図２は、サービス提供機器１００の内部構造の一例である。
６００は、出展者機器２０または出展者機器３０が売却を希望するコンテンツを記憶しているネットワーク上の記憶場所を示す記憶場所情報を含む出展応募情報を記憶する記憶部である。出展応募情報の一例としては、図１の出展者アドレス一覧表１１０に示す情報が挙げられる。出展者アドレス一覧表１１０の詳細については後述する。
ネットワーク上の記憶場所を示す記憶場所情報としては、出展者アドレス一覧表１１０に示されたようにリンク先情報となる上記ＵＲＬの他、その他のネットワークアドレスや識別子でもかまわない。また、ＵＲＬやアドレスを直接表示せず、アイコンやコンテンツの縮小コピー等を記憶場所情報に対応させて表示してもよく、記憶場所情報の表示はコンテンツ（出展品）のネットワーク上における記憶場所を示す方法であれば、いずれの方法によりなされていてもよい。
図２の７００は、図１で示すショップサーバ１０、出展者機器２０、出展者機器３０、入札者機器４０と通信を行う通信部である。
８００は、コンテンツにアクセスすることを入札者機器４０に促すために記憶部６００が記憶した出展応募情報を表示する表示部である。サービス提供者側が出展応募情報を確認したり、サービス提供者側が独自のサイトを構築する場合にサイトを表示するために用いられる。入札者機器４０は、サービス提供機器１００の表示部８００に表示された出展応募情報と同じ表示を入札者機器４０の画面上またはプリンタ出力、その他の方法によって行う。
５００は、本実施の形態のオークションを制御する制御部である。すなわち、制御部５００は、入札者機器４０側に表示された出展応募情報が入札者機器４０によって指定された場合に、記憶部６００に記憶された出展応募情報のうち指定された出展応募情報に含まれる、コンテンツを記憶しているネットワーク上の記憶場所を示す記憶場所情報を用いて入札者機器４０にコンテンツをアクセスさせ、入札者機器４０からの入札を受けつけ、入札者機器４０と出展者機器２０等との間でコンテンツの競売を制御する。
９００は、応募の対象となるコンテンツの受付番号と出展品数とをカウントアップするカウンタである。
【００１６】
次に、図１のシステムの動作について説明する。
まず、出展者機器２０がコンテンツ（出展品）の出展を希望する場合、インターネット６０を介してショップサーバ１０にコンテンツ（出展品）の出展希望を通知し、ショップサーバ１０が出展を受けつけた場合には、コンテンツ（出展品）をショップサーバ１０に送信してコンテンツを登録する（Ｓ１）。
出展者機器２０は、コンテンツとしてコンテンツＡ２００を出展するので、ショップサーバ１０では、図１のショップサーバ１０のサイトに示すように、登録したコンテンツＡ２００を自己が経営するインターネット６０上のバーチャルショップのサイトに展示する。また、図１の出展者機器２０の画面に示すように、出展者機器２０は、独自のホームページ（ＨＰ）にもコンテンツＡ２００を展示する。ただし、出展者機器２０がショップサーバ１０のサイトのみにコンテンツＡ２００を展示することを希望する場合には、独自のホームページ（ＨＰ）にはコンテンツＡ２００を展示しない。
また、出展者機器３０は、独自のホームページ（ＨＰ）にコンテンツＤ２１０を展示している。しかし、出展者機器３０は、ショップサーバ１０には出展を希望していない。したがって、コンテンツＤ２１０は、ショップサーバ１０のバーチャルショップのサイトに展示されていない。
このようにして複数の出展者機器による出展希望により、他のコンテンツＢ２２０及びコンテンツＣ２３０もショップサーバ１０に登録され、ショップサーバ１０のバーチャルショップのサイトに展示される。
【００１７】
出展者機器２０及び出展者機器３０は、サービス提供機器１００のサービスによるコンテンツ（出展品）のオークション販売を希望する場合、サービス提供機器１００にコンテンツの出展応募の通知を送信する（Ｓ２、Ｓ３）。この出展応募の通知は、記憶場所情報を含む出展応募情報を有している。
サービス提供機器１００の通信部７００がＳ２の出展応募の通知を受信すると、まず、制御部５００は、カウンタに保持された受付番号を１つカウントアップし、その値を受付番号「１」として記憶部６００の出展者アドレス一覧表１１０に記憶する。次に、制御部５００は、上記出展応募の通知に含まれる出展応募情報中の記憶場所情報からコンテンツを記憶してあるＵＲＬ「ｈｔｔｐ：／／ｓｈｏｐ．ｃｏ．ｊｐ」を抽出して出展者アドレス一覧表１１０に記憶する。また、上記出展応募の通知に含まれる出展応募情報から出展した作品名「Ａ」と入札金額「３０００円」と譲渡額「３００００円」とを抽出して出展者アドレス一覧表１１０に記憶する。
出展者機器２０は、独自のホームページ（ＨＰ）にもコンテンツＡ２００を展示する。よって、制御部５００は、カウンタ９００に保持された受付番号を１つカウントアップし、その値を受付番号「２」として出展者アドレス一覧表１１０に記憶する。また、制御部５００は、上記出展応募の通知に含まれる出展応募情報からＵＲＬ「ｈｔｔｐ：／／ａ．ｃｏ．ｊｐ」と出展した作品名「Ａ」と入札金額「３０００円」と譲渡額「３００００円」とを出展者アドレス一覧表１１０に記憶する。
同様にして、サービス提供機器１００の制御部５００は、Ｓ３の出展応募の通知に対応して、カウンタ９００に保持された受付番号を１つカウントアップし、その値を受付番号「３」として出展者アドレス一覧表１１０に記憶する。また、制御部５００は出展応募情報からＵＲＬ「ｈｔｔｐ：／／ｇ．ｃｏ．ｊｐ」と出展した作品名「Ｄ」と入札金額「３５００円」と譲渡額「３５０００円」とを出展者アドレス一覧表１１０に記憶する。
サービス提供機器１００の制御部５００は、上記のように記憶部６００に存在する出展者アドレス一覧表１１０に必要事項を記憶させるとともに、通信部７００を介して出展応募の通知をした出展者機器２０及び出展者機器３０に対し出展応募の受理を通知する（Ｓ４）。
出展者機器２０及び出展者機器３０は、サービス提供機器１００からの受理通知を受け、サービス提供機器１００の記憶部６００に記憶された出展者アドレス一覧表１１０の内容に誤りがないかを確認する（Ｓ５）。
以上がサービス提供機器１００にコンテンツを応募する場合の処理を示したものである。
【００１８】
次に、コンテンツを競売する動作について説明する。
図３は、サービス提供機器１００にコンテンツを応募した後、サービス提供機器１００の制御部５００がコンテンツの競売を制御する動作を示す図である。
まず、入札者機器４０はサービス提供機器１００の提供する出展者アドレス一覧表１１０を検索する（Ｓ６）。すなわち、出展者アドレス一覧表１１０の示すアドレスにアクセスして作品名「Ａ」や作品名「Ｄ」のコンテンツの内容を見に行く。
その結果、入札者機器４０は、作品名「Ｄ」のコンテンツＤ２１０の購入を希望したとする。コンテンツＤ２１０は、出展者機器３０のホームページに展示されたコンテンツ（出展品）である。入札者機器４０は、サービス提供機器１００にコンテンツＤ２１０の入札を希望する通知を送信する（Ｓ６）。
ここで、コンテンツＤ２１０の入札を希望するとは、入札者機器４０がコンテンツＤ２１０を使用する権利を取得することを希望すること、または、入札者機器４０がコンテンツＤ２１０に関する著作権を取得することを希望することを意味する。
サービス提供機器１００は、入札者機器４０からの入札希望通知を受信すると、入札を希望するコンテンツＤ２１０が入札者機器４０へ売買可能な状態にあることを確認し、入札者機器４０にコンテンツＤ２１０の入札希望を受け付けたことを通知する（Ｓ７）。
入札者機器４０は、サービス提供機器１００からの入札の受付通知を受信した場合には、コンテンツＤ２１０の入札に必要な代金である入札金額「３５００円」、または、譲渡額「３５０００円」をサービス提供機器１００提供者のインターネット６０上にある口座に振り替える（Ｓ８）。ただし、サービス提供機器１００提供者の口座は必ずインターネット６０上にある必要はなく、例えば、通常の銀行口座に振り込むまたは振り替えることも可能である。
サービス提供機器１００提供者のインターネット６０上にある口座に入札金または譲渡額が振り替えられると、サービス提供機器１００の通信部７００は、コンテンツＤ２１０を出展した出展者機器３０に対し、コンテンツＤ２１０の使用権または著作権の落札を通知する（Ｓ９）。
サービス提供機器１００からの落札通知を受信した出展者機器３０は、コンテンツＤ２１０を入札者機器４０に送信すること、または、コンテンツＤ２１０に関する著作権の移転（譲渡）手続をとることでコンテンツＤ２１０を入札者機器４０に売却する（Ｓ１０）。
出展者機器３０は、コンテンツＤ２１０の送信後、サービス提供機器１００にコンテンツＤ２１０の売却通知を送信する（Ｓ１１）。
サービス提供機器１００は、出展者機器３０からの売却通知を受信すると、出展者機器３０の出展者にコンテンツＤ２１０の入札金または譲渡額から仲介料を差し引いた額を売却代金として出展者機器３０の出展者の所有するインターネット６０上にある口座に振り替える（Ｓ１２）。
このようにして、コンテンツをオークションにより出展者側から入札者側に入札する。
【００１９】
図４は、出展者アドレス一覧表１１０の詳細を示す図である。出展者アドレス一覧表１１０は、記憶部６００の記憶内容でもあり、かつ、入札者機器４０に表示される表示内容でもある。なお、記憶部６００の記憶内容と入札者機器４０に表示される表示内容は異なっていてもかまわない。
出展者アドレス一覧表１１０は、コンテンツが受付けられた受付番号１１１、コンテンツの記憶してある場所であるＵＲＬ１１２、コンテンツの作品名１１３、出展者がコンテンツの使用を認めるための入札金である出展者希望入札金額１１４、出展者がコンテンツに関する著作権の移転（譲渡）を認めるための譲渡額１１５の各項目からなる表である。
上述のようにコンテンツＡ２００は、ショップサーバ１０のバーチャルショップと出展者機器２０のホームページに展示される。したがって、コンテンツＡ２００は、受付番号１１１が「１」と「２」に対応するＵＲＬが示す場所に展示されていることを出展者アドレス一覧表１１０は示している。すなわち、コンテンツＡ２００は、「１」の受付番号１１１に対応するＵＲＬ「ｈｔｔｐ：／／ｓｈｏｐ．ｃｏ．ｊｐ／ｒｐｕｇ１３ｍｔ」と「２」の受付番号１１１に対応するＵＲＬ「ｈｔｔｐ：／／ａ．ｃｏ．ｊｐ／ｒｐｕｇ１３ｍｔ」とに展示されていることを出展者アドレス一覧表１１０は示している。
したがって、入札者機器４０は、上記２つのＵＲＬのいずれかに基づいてコンテンツＡ２００の展示場所へリンクして、コンテンツＡ２００を鑑賞することができる。
また、入札者機器４０は、出展者アドレス一覧表１１０によって、コンテンツＡ２００の使用をする権利を「３０００円」で買うことができ、コンテンツＡ２００に関する著作権を「３００００円」で譲受できることを知ることが可能である。
【００２０】
一方、コンテンツＤ２１０は、ショップサーバ１０のバーチャルショップには展示されておらず、出展者機器３０のホームページのみに展示されている。したがって、コンテンツＤ２１０は、受付番号１１１が「３」に対応するＵＲＬ「ｈｔｔｐ：／／ｇ．ｃｏ．ｊｐ／ｒｐｕｇ１３ｍｔ」に展示されていることを出展者アドレス一覧表１１０は示している。
したがって、入札者機器４０は、上記ＵＲＬに基づいて出展者機器３０のホームページにリンクして、コンテンツＤ２１０を鑑賞することができる。
入札者機器４０は、他の作品についても同様に、出展者アドレス一覧表１１０を参照して各作品を鑑賞することができる。
【００２１】
次に、インターネット銀行を用いた本実施の形態のオークションシステムによる出展応募と入札の仕組みについて説明する。
図５は、インターネット銀行を用いたオークションシステムの出展応募と入札の仕組みを示す図である。
まず、出展応募の仕組みについて説明する。
・出展品登録
出展者機器３０は出展するコンテンツＤ２１０をショップサーバ１０のバーチャルショップや独自のホームページに載せる（Ｓ５１）。図５では、ショップサーバ１０のＡサイトというバーチャルショップにコンテンツＡ２００を掲載する（Ｓ５１）。
・応募
出展者機器３０は、出展者機器３０の所有する出展者インターネット銀行口座３００からサービス提供機器１００の所有するサービス提供者インターネット銀行口座３２０へ、１点につき３００円の応募料を振り替える（Ｓ５２）。ただし、同一作品を複数のＵＲＬに展示する場合には、１点分の応募料又は割安な応募料を出展者インターネット銀行口座に振り替えるようなシステムを構築してもよい。
この振り替えは、出展者機器３０がサービス提供者インターネット銀行口座３２０の支店番号、口座番号、ログインパスワード等を入力することによってインターネット銀行口座にアクセスし、振替手数料が無料のインターネット銀行の支払い画面を通じて、応募料を振り替えることによって行うことが可能である。
このサービスに加え、または、このサービスに替えて、複数の都市銀行や郵便局によって構築されたネットワーク上の口座を利用して応募料を自動振替することも可能である。また、クレジットカードを使用してネットワーク上の口座により自動振替を行うことや、郵便振替が利用できるようなシステムを構築することも可能である。
出展者機器３０は、応募料を振り替えた後、サービス提供機器１００宛にコンテンツＤ２１０を展示しているＵＲＬ１１２と出展者インターネット銀行口座３００の番号と口座氏名と作品名１１３と出展者希望入札金額１１４または譲渡額１１５とを記載したＥメールを送信する（Ｓ５３）。なお、Ｅメールでなく、サービス提供機器１００のＨＰへ入力するようにしてもよい。
・受理通知
Ｅメールを受信したサービス提供機器１００は、出展者機器３０へ出展の受理を通知する（Ｓ５４）。
・確認
出展者機器３０は、出展者アドレス一覧表１１０を調べ、自分の出展したコンテンツのＵＲＬや出展者希望入札金額１１４等が正しく出展者アドレス一覧表１１０に入力されているかを確認する（Ｓ５５）。正しく入力されていない場合には、サービス提供機器１００へ訂正の要求をし、誤字を訂正してもらう。
【００２２】
次に、入札の仕組みについて説明する。
・検索、入札希望通知
入札者機器４０は、出展者アドレス一覧表１１０から写真を閲覧してお気に入りの写真を探す（Ｓ５６）。入札者機器４０は、お気に入りの写真を見つけた場合には、希望するコンテンツの受付番号１１１とＵＲＬ１１２と作品名１１３の少なくともいずれかを記載したＥメールをサービス提供機器１００に送信する（Ｓ５７）。なお、Ｅメールでなく、サービス提供機器１００のＨＰへ入力するようにしてもよい。
・受付通知
サービス提供機器１００は、入札者機器４０からのＥメールを受信すると入札の受付をＥメールで通知する（Ｓ５８）。
・入札金口座振替
入札者機器４０は、サービス提供機器１００からの入札受付通知を受信すると、コンテンツＤ２１０の入札に必要な入札金額または譲渡額を入札者機器４０の所有する入札者インターネット銀行口座３１０からサービス提供者インターネット銀行口座３２０へ振り替える（Ｓ５９）。
・落札通知
入札者機器４０からの入札金の振替があった場合には、サービス提供機器１００はコンテンツＤ２１０を出展した出展者機器３０にコンテンツＤ２１０の落札を通知するＥメールを送信する（Ｓ６０）。このＥメールには、入札者である入札者機器４０のＥメールアドレスが記載されている。
・出展品送信
サービス提供機器１００からの落札通知を受信した出展者機器３０は、入札対象であるコンテンツＤ２１０をＥメールに添付して入札者機器４０に送信する（Ｓ６１）。なお、Ｅメールでなくても、何らかの方法を用いて仲介できればよい。
・売却通知
出展者機器３０は、入札者機器４０にコンテンツＤ２１０を売却したことをＥメールにてサービス提供機器１００に通知する（Ｓ６２）。この通知は、Ｓ６１の送信と別々に行うことも可能である。Ｓ６１で行われたＥメールのＣＣ項目（カーボンコピー機能）にサービス提供機器１００のメールアドレスを入力することによって、Ｓ６１で行われる送信と同時に行う。ただし、Ｓ６１のコンテンツ送信を確実に確認することができれば、Ｓ６１の送信と別々に行うことも可能である。なお、Ｅメールを用いる方法でなくてもよい。
・代金口座振替
上記出展者機器３０からの売却通知を受信し、送付内容を確認後、サービス提供機器１００はサービス提供者インターネット銀行口座３２０から出展者インターネット銀行口座３００へ一定手数料を差し引いた金額を振り替える（Ｓ６３）。
このようにして、出展応募と入札がインターネット６０上で自動的に行われる。
上記出展者インターネット銀行口座３００、入札者インターネット銀行口座３１０、サービス提供者インターネット銀行口座３２０で示した銀行口座は、インターネット上に存在する銀行口座である。しかし、金銭の授受を行う口座は、インタネット上だけでなく、あらゆるネットワーク上に存在する口座及び現実に存在する口座を用いることができる。
【００２３】
以上のようにして、サービス提供機器１００はインターネット６０を介してショップサーバ１０、出展者機器２０、出展者機器３０または入札者機器４０と接続されることにより本実施の形態のオークションシステムを構築し、これら各装置が協業して情報の送受信及び制御を行うことによって出展者機器２０等から入札者機器４０への競売サービスを達成する。
【００２４】
以上のように、本実施の形態では、出展するコンテンツはインターネット上のどこに記憶させていてもよい。すなわち、コンテンツを自分のホームページや友達のホームページに掲載したり、コンテンツプロバイダなどのフォトアルバムやホームページに載せることにより、入札者機器４０がインターネット６０を用いてこれらのコンテンツを見ることができればよい。
【００２５】
また、上述したシステムでは、１点の作品につき１つまたは複数のＵＲＬへ出展する場合を述べたが、１点の作品につき１つのＵＲＬのみへの出展を認めるシステムを構築してもよい。
【００２６】
このように、本実施の形態のサービス提供機器１００は、コンテンツを記憶する記憶領域を確保せずに上記競売サービスを提供することができる。
また、このようなシステムを構築することで、入札者機器４０は、従来のシステムに比べ、携帯電話やデジタルカメラ等で撮影しホームページ等に載せたデジタル写真等も気軽にサービス提供機器１００に応募することができる。
また、インターネット銀行を利用することで、携帯電話や携帯型情報機器やコンピュータ等の機器を用いて人が介在せずに自動的に決済ができる。
また、本実施の形態におけるオークションシステムでは、すべての代金の授受がサービス提供機器１００のサービス提供者インターネット銀行口座３２０を経由するので、サービス提供機器１００がすべての代金の授受を管理することができる。よって、サービス提供機器１００による代金の授受の確認後、次のステップに進むという方法により未支払いや未受取りのトラブルを防ぎ、出展者側や入札者側が安心してシステムを利用することができる。
また、ネットワーク上の銀行を利用することで、携帯電話や携帯型情報機器やコンピュータ等の機器を用いて信頼性が高く、また、利便性が高い決済システムを構築することができる。
また、ネットワーク上の銀行を利用して、本実施の形態の競売システムだけでなくインターネット６０上の他のオークションも手軽に併用して利用することができる。
【００２７】
実施の形態２．
次に、実施の形態２について説明する。
本実施の形態は、実施の形態１のオークションシステムに、一定条件の下、サービス提供機器１００が出展品の中から一部の出展品を買い上げるシステムが付加されている。
図６は、サービス提供機器１００によって提供される本実施の形態のオークションシステムである「オークプラス」のサービスを提供するサイトの画面の一例である。
図６に示すように、このオークションシステムでは「わずか３００円で応募したデジタル写真が１０万円になるチャンスが、１０回、さらに１００万円になるチャンス」がある。
【００２８】
このようなチャンスを有するシステムを構築するために、サービス提供機器１００のカウンタ９００は、通信部７００によって受信された出展応募の通知に対応して出展品数を応募の対象となるコンテンツ数分カウントアップする。そして、サービス提供機器１００の制御部５００は、カウンタ９００によってカウントアップされた出展品数が所定数に達した場合には、出展応募されたコンテンツの中から対価を支払う１以上のコンテンツ（買い上げ作品）を決定し、決定した１以上のコンテンツの対価をコンテンツの出展応募の通知をした出展者機器の利用者に支払う。
【００２９】
さらに、サービス提供機器１００による上記買い上げシステムについて詳しく説明する。
図７は、サービス提供機器１００による買い上げシステムの動作を示すフローチャートである。
まず、カウンタ９００は、出展品数を「０」に初期化する（Ｓ３０１）。
次に、制御部５００は、新しい出展品があるかを通信部７００に問い合わせる（Ｓ３０２）。
その結果、新しい出展品があれば、制御部５００は出展品数に１を加算する（Ｓ３０３）。新しい出展品がなければ、Ｓ３０２のステップに戻る。
次に、制御部５００は、出展品数が１０００×Ｎに等しいかを判断する（Ｓ３０４）。ここで、Ｎは整数であり、１≦Ｎ≦１０の範囲の値を持つ。
出展品数が１０００×Ｎに等しければ、制御部５００は（１０００×Ｎ）個の出展品の中から買い上げ作品を決定し、買い上げ作品を出展した出展者の出展者インターネット銀行口座３００にショップサーバ１０万円を振り替える（Ｓ３０５）。
この場合、買い上げ作品の決定には、例えば、予め出展品の特徴点をキーワードとして登録しておき、買い上げ作品のキーワードをランダムに決定する方法が考えられる。また、入札者機器４０による入札件数をコンテンツごとに記憶しておき、入札件数が多いものを買い上げ作品とする方法が考えられる。また、入札者機器４０によるコンテンツへのリンク件数（参照回数）をコンテンツごとに記憶しておき、リンク件数（参照回数）が多いものを買い上げ作品とする方法が考えられる。他の方法としては、入札者機器４０による入札件数×入札金額の値が大きいものを買い上げ作品とする方法が考えられる。また、これらの方法を単位期間当たりの件数（入札件数、リンク件数）または金額とし、これらの件数または金額に基づいて買い上げ作品を決定する方法も考えられる。ただし、人によって買い上げ作品を決定してもよい。
このようにして決定した買い上げ作品に基づき、買い上げ作品の個数で１０万円を等配分することにより、各々の買い上げ作品の出展者に作品の対価を支払うことが可能である。ただし、複数の買い上げ作品に対し１０万円を必ずしも等配分する必要はなく、買い上げ作品毎に各々異なる対価を設定してもよい。
なお、出展品数が１０００×Ｎに等しくなければ、Ｓ３０２のステップに戻る。
次に、制御部５００は、出展品数が１００００に等しいかを判断する（Ｓ３０６）。
出展品数が１００００に等しければ、制御部５００は上記Ｓ３０４のステップで記載した方法等を用いて１００００個の出展品の中から買い上げ作品を決定し、買い上げ作品を出展した出展者の出展者インターネット銀行口座３００にサービス提供機器１００万円を振り替える（Ｓ３０７）。出展品数が１００００に等しくなければ、Ｓ３０２のステップに戻る。
【００３０】
したがって、図７に示すフローチャートによれば、出展者アドレス一覧表１１０への出展品の掲載期限は、出展品数が１００００点になるまで可能である。出展品数が１００００点になった時点で出展者アドレス一覧表１１０は初期化され、出展品数が「１」の出展品から新たに掲載される。
ただし、買い上げ作品を決定する出展品数の数や買い上げ作品に対する対価の額の組み合わせは、上述した買い上げ作品を決定する出展品数の数や買い上げ作品に対する対価の額に限定されず、多様な組み合わせが考えられる。例えば、他の一例としては、出展品数５００点毎に買い上げ作品に３万円の対価を設定し、さらに、３０００点毎に買い上げ作品に３０万円の対価を設定し、出展品数が９０００点に達した場合には買い上げ作品に３０万円の対価を設定するとともに、出展品数を０クリアする（初期化する）方法が考えられる。
【００３１】
サービス提供機器１００は、独自のオークションサイトを持っていてもよい。その場合には、サービス提供機器１００によって買い上げた買い上げ作品を自分の独自のサイトで販売し収益をあげることができる。買い上げ作品についての買い上げ方法の一例としては、買い上げ作品をサービス提供者が自由に使用する権利を買い上げる場合と買い上げ作品の著作権自体を買い上げる場合とが考えられる。買い上げ作品に対する著作権を買い上げた場合には、買い上げ作品を使用する権利を販売する販売価格とともに買い上げ作品の著作権の販売価格もサイトに表示し販売対象とすることができる。例えば、買い上げ作品を使用する権利を販売する販売価格を「５０００円」、買い上げ作品の著作権の販売価格を「５万円」として販売するサービスによってもサービス提供機器１００は利益を得ることが可能である。
【００３２】
このように、本実施の形態のオークション「オークプラス」によれば、たとえ通常のオークションで出展品に値がつかなくても、サービス提供機器１００が上記一定条件にしたがって出展品を買い上げるので、サービス提供機器１００は、出展者側にオークションによる売買の他にも出展品に対する対価を得ることができるかもしれないという期待を持たせ、今までのオークションにない出展者に魅力的なシステムを構築することができる。
また、このようなシステムによって、サービス提供機器１００による競売サービスは出展者数を伸ばすことができるため、入札者は多くの出展品から気に入ったコンテンツを選ぶことができる。よって、入札者にとっても魅力的なシステムを構築することができる。
【００３３】
図８は、サービス提供機器１００のコンピュータ基本構成図である。
図８において、プログラムを実行するＣＰＵ（Ｃｅｎｔｒａｌ　Ｐｒｏｃｅｓｓｉｎｇ　Ｕｎｉｔ）ＣＰＵ４５は、バス４８を介してモニタ４１、キーボード４２、マウス４３、通信ボード４４、磁気ディスク装置４６等と接続されている。
磁気ディスク装置４６には、オペレーティングシステム（ＯＳ）ＯＳ４７、プログラム群４９、ファイル群５０が記憶されている。ただし、プログラム群４９、ファイル群５０が一体となってオブジェクト指向のプログラム群４９を形成する形態も一実施の形態として考えられる。
プログラム群４９は、ＣＰＵ４５、ＯＳ４７により実行される。
上記各実施の形態では、サービス提供機器１００は、通信ボード４４の機能を使用して、インターネット６０を経由して出展者機器２０及び入札者機器４０と通信を行う。
【００３４】
以上に記載した「登録する」、「記憶する」、「保持する」という用語は、記録媒体に保存することを意味する。
【００３５】
以上に記載した競売は、多くの買い手に値段をつけさせ、最も高い値をつけた人に売る方法の他、ディジタルコンテンツの場合は配布点数に制限がないので、出展者機器の希望価格での販売も含む。また、上記競売による入札方法は、複数の入札者機器に入札見積額を出させて、いずれかの入札者機器を契約者と決定する方法の他、ディジタルコンテンツの場合は配布点数に制限がないので、出展者機器の希望価格での販売に同意する入札者機器を契約者と決める方法も含む。
【００３６】
すべての実施の形態では、各構成要素の各動作はお互いに関連しており、各構成要素の動作は、上記に示された動作の関連を考慮しながら、一連の動作として置き換えることができる。そして、このように置き換えることにより、方法の発明の実施形態とすることができる。
また、上記各構成要素の動作を、各構成要素の処理と置き換えることにより、プログラムの実施の形態とすることができる。
また、プログラムをプログラムを記録したコンピュータ読み取り可能な記録媒体に記憶させることで、プログラムに記録したコンピュータ読取り可能な記録媒体の実施の形態とすることができる。
【００３７】
従って、サービス提供プログラムの実施の形態は、ネットワークを介して競売サービスを提供するサービス提供プログラムにおいて、出展者機器が売却を希望しているコンテンツを記憶しているネットワーク上の記憶場所を示す記憶場所情報を含む出展応募情報を記憶する処理と、
上記記憶した出展応募情報から入札者機器に出展者機器が売却を希望しているコンテンツをアクセスさせ、入札者機器からの入札希望を受けつけ、入札者機器と出展者機器との間でコンテンツの競売を制御する処理とをコンピュータに実行させるためのサービス提供プログラムを記録したコンピュータ読み取り可能な記録媒体、というように、サービス提供プログラムに記録したコンピュータ読取り可能な記録媒体の実施の形態とすることができる。
【００３８】
プログラムの実施の形態及びプログラムに記録したコンピュータ読取り可能な記録媒体の実施の形態は、すべてコンピュータで動作可能なプログラムにより構成することができる。
プログラムの実施の形態およびプログラムを記録したコンピュータ読取り可能な記録媒体の実施の形態における各処理はプログラムで実行されるが、このプログラムは、記録装置に記録されていて、記録装置から中央処理装置（ＣＰＵ）に読み込まれ、中央処理装置によって、各フローチャートが実行されることになる。
また、各実施の形態のソフトウエアやプログラムは、ＲＯＭ（ＲＥＡＤ　ＯＮＬＹ　ＭＥＭＯＲＹ）に記憶されたファームウエアで実現されていても構わない。あるいは、ソフトウエアとファームウエアとハードウエアとの組み合わせで前述したプログラムの各機能を実現しても構わない。
【００３９】
【発明の効果】
ネットワーク上のいずれかの記憶領域に記憶されているコンテンツ（出展品）を用いた競売サービスを提供するサービス提供機器を構築することができる。
【００４０】
また、競売による出展者への特典とともに出展者に他の特典を与えることができる。
【図面の簡単な説明】
【図１】本実施の形態に関するオークションシステムの構成及び動作を示す図である。
【図２】サービス提供機器の内部構成図である。
【図３】コンテンツを競売する動作を示す図である。
【図４】出展品アドレス一覧表の内容を示す図である。
【図５】インターネット銀行を用いたオークションシステムの応募と入札の仕組みを示す図である。
【図６】オークションシステム「オークプラス」のサイトの一例である。
【図７】サービス提供機器による買い上げシステムの動作を示すフローチャートである。
【図８】サービス提供機器１００のコンピュータ基本構成図である。
【図９】従来のオークションシステムの構成及び動作を示す図である。
【符号の説明】
１０　ショップサーバ、２０，３０　出展者機器、４０　入札者機器、４１　モニタ、４２　キーボード、４３　マウス、４４　通信ボード、４５　ＣＰＵ、４６　磁気ディスク装置、４７　ＯＳ、４９　プログラム群、５０　ファイル群、６０　インターネット、１００　サービス提供機器、１１１　受付番号、１１２　ＵＲＬ、１１３　作品名、１１４　出展者希望入札金額、１１５　譲渡額、３００　出展者インターネット銀行口座、３１０　入札者インターネット銀行口座、３２０　サービス提供者インターネット銀行口座、２００　コンテンツＡ、２１０　コンテンツＤ、２２０　コンテンツＢ、２３０　コンテンツＣ、５００制御部、６００　記憶部、７００　通信部、８００　表示部、９００　カウンタ。
【図１】
2004029878.tif 000003
【図２】
2004029878.tif 000004
【図３】
2004029878.tif 000005
【図４】
2004029878.tif 000006
【図５】
2004029878.tif 000007
【図６】
2004029878.tif 000008
【図７】
2004029878.tif 000009
【図８】
2004029878.tif 000010
【図９】
2004029878.tif 000011